(57)【要約】【課題】  施工手間やコストをできるだけ抑えながら、強風に強い防水構造を提供できるようにする。【解決手段】  屋根下地１上に複数の下地板２が並べて設置され、それら下地板２上を覆う状態に防水シート３が配置され、分散配置された防水シート固定部Ｐで防水シート３が固定してある防水構造において、複数の下地板２どうしの突き合わせ部Ｔにおける下地板厚み方向への風抜けを防止自在で、且つ、伸縮自在な目張りテープＭが、突き合わせ部Ｔで両下地板２にわたる状態に接着してある。【選択図】        図１
2006077506.tif 000002
【特許請求の範囲】
【請求項１】
屋根下地上に複数の下地板が並べて設置され、それら下地板上を覆う状態に防水シートが配置され、分散配置された防水シート固定部で前記防水シートが固定してある防水構造であって、
前記複数の下地板どうしの突き合わせ部における下地板厚み方向への風抜けを防止自在で、且つ、伸縮自在な目張りテープが、前記突き合わせ部で両下地板にわたる状態に接着してある防水構造。
【請求項２】
前記目張りテープは、下地板どうしの少なくとも裏面側に接着してある請求項１に記載の防水構造。
【請求項３】
前記目張りテープは、両面テープである請求項１又は２に記載の防水構造。
【請求項４】
屋根下地上に複数の下地板が並べて設置され、それら下地板上を覆う状態に防水シートが配置され、分散配置された防水シート固定部で前記防水シートが固定してある防水構造であって、
前記複数の下地板どうしの突き合わせ部における下地板厚み方向への風抜けを防止自在で、且つ、伸縮自在な充填材が、前記突き合わせ部で両下地板にわたって一体となる状態に充填してある防水構造。
【請求項５】
前記充填材は、前記突き合わせ部に形成された両下地板間のアリ溝内に充填してある請求項４に記載の防水構造。
【発明の詳細な説明】
【技術分野】
【０００１】
本発明は、屋根下地（例えば、折板屋根やデッキプレートや梁部材等）上に複数の下地板（例えば、多孔質板や木毛セメント板やＡＬＣ板や木材板等）が並べて設置され、それら下地板上を覆う状態に防水シートが配置され、分散配置された防水シート固定部で前記防水シートが固定してある防水構造に関する。
【背景技術】
【０００２】
この種の防水構造は、例えば、野地板からなる前記下地板の上に、防水シートを沿わせて設置するものであったり、また、断熱板からなる前記下地板の上に、防水シートを沿わせて設置するものであったり、さまざまな屋根に採用されている。
また、前記下地板が断熱板である場合には、既設の折板屋根やデッキプレートで形成された屋根に、後から断熱板を敷設して断熱屋根に改築する場合や、新築時から屋根下地となる折板やデッキプレートや梁部材や野地板の上に断熱板を敷設して断熱屋根を構築する場合等、さまざまな形態での断熱屋根が対象となる。
そして、下地板の上に敷設される防水シートの固定は、例えば、円板形状や帯板形状の固定金具（防水シート固定部に相当）を下地板の上に配置して貫通ボルト等で屋根下地に固定しておき、その固定金具上に防水シートを接着することで実施されている。
また、この固定金具の配置に関しては、隣接する接着部同士は一定の間隔となるように前記屋根下地全域にわたって点在配置してあるのが一般的であった（例えば、特許文献１参照）。
一方、下地板に関しては、隣接させる別の下地板との突き合わせ部は、板厚み方向に沿って真っ直ぐな平坦面として成形（又は切断）されているのが一般的であった。
また、断熱屋根においては、屋根の断熱性能の向上を図るために、下地板同士の突き合わせ部を「合いじゃくり」とするものもあった（例えば、特許文献２参照）。
【０００３】
【特許文献１】特許第２７２４０４０号公報（図１〜３）
【特許文献２】特開２００２−６１３３９号公報（図６）
【発明の開示】
【発明が解決しようとする課題】
【０００４】
屋根面に風圧が作用すると、局部的に負圧が生じることがあり、その力は屋根下地上に設置してある防水シートを吸い上げるようにはたらく。そして、防水シートは、上述のように屋根下地に対して点在配置された固定金具で局部的に接着されているから、接着されていない部分に関しては屋根面上で上下に多少の移動が許容されている。
従って、屋根面に風が吹くに伴って、防水シートは、非接着部が上下に「バタバタ」と移動し、その動きは、あたかも水面の波のごとく、風上から風下に向かって流れていく。  このような波立ちは、風と共に風下側へ伝播していく課程で防水シートの共振も作用してエネルギーが蓄積され、更に増幅される傾向がある。また、この傾向は、風が強いほど顕著に現れるのは当然であるが、防水シート裏面側の空間の密閉度が低いほど顕著に現れる。即ち、風によって防水シートが吸い上げられる際に、防水シート裏面側の空間の密閉度が高ければ、その空間が、防水シート表面側より低い圧力となって防水シートの上昇を抑制できるのに対して、前記空間の密閉度が低いと、防水シートの吸い上げに伴って容易に空気が流入するから、防水シート表裏での空間圧力差による抵抗が期待できにくく、防水シートの波立ち抑制効果が低くなる（図５参照）。そして、防水シート３の波立ちが続くに伴って、防水シートにおける固定部Ｐの周囲部分に、亀裂が入ったり裂けたりする現象が生じることが観測されている。
上述した従来の防水構造によれば、激しい温度差に曝される屋根面環境下においては、下地板２の熱膨張・収縮の繰り返しによって突き合わせ部Ｔに隙間が出来やすく、この隙間を通して屋根下地１側の空間と防水シート３裏面側空間とが連通すれば、上述のように風による防水シート３の波立ちを抑制し難くなる。そして、その波立ちを緩和するためには、各接着部間隔（固定スパン）を狭くして、波の振幅を小さくするしか打つ手が無く、その結果、接着箇所が多くなって、施工手間がかかると共に材料コストが高くつき易い問題点があった。
【０００５】
従って、本発明の目的は、上記問題点を解消し、施工手間やコストをできるだけ抑えながら、強風に強い防水構造を提供するところにある。
【課題を解決するための手段】
【０００６】
本発明の第１の特徴構成は、屋根下地上に複数の下地板が並べて設置され、それら下地板上を覆う状態に防水シートが配置され、分散配置された防水シート固定部で前記防水シートが固定してある防水構造において、前記複数の下地板どうしの突き合わせ部における下地板厚み方向への風抜けを防止自在で、且つ、伸縮自在な目張りテープが、前記突き合わせ部で両下地板にわたる状態に接着してあるところにある。
【０００７】
本発明の第１の特徴構成によれば、前記複数の下地板どうしの突き合わせ部における下地板厚み方向への風抜けを防止自在で、且つ、伸縮自在な目張りテープが、前記突き合わせ部で両下地板にわたる状態に接着してあるから、前記目張りテープによって各下地板どうしの突き合わせ部の密閉を図ることができ、下地板厚み方向への風抜けを防止することができる。
しかも、目張りテープが伸縮性を備えているから、仮に下地板の熱膨張・収縮の繰り返しによって突き合わせ部に目開きが生じようとしても、その動きに追従でき、突き合わせ部の密閉状態を維持することが可能となる。
従って、下地板の突き合わせ部の密閉をより確実に図ることができるようになり、例えば、防水シートが、風の負圧で吸い上げられるような力を受けても、防水シートと下地板との間の空間が減圧されることで防水シートの上昇を抑制し易くなる。その結果、必要以上に短い間隔で防水シート固定部を設けなくても防水シートの波立ち防止を図ることができ、施工手間やコストを掛けずに強風に強い防水構造とすることが可能となる。
【０００８】
本発明の第２の特徴構成は、前記目張りテープは、下地板どうしの少なくとも裏面側に接着してあるところにある。
【０００９】
本発明の第２の特徴構成によれば、本発明の第１の特徴構成による上述の作用効果を叶えることができるのに加えて、下地板の突き合わせ部に対する下方から上方への風抜けに対して、その力が目張りテープを下地板に押し付ける方向に作用するから剥がれ難く、突き合わせ部での密閉性の維持を図り易い。
また、目張りテープは、防水シート表面から裏面側へ下地板を挟んで離間した位置に設けられているから、防水シート表面での日照に伴う温度変化の影響を受け難く、長期間にわたって密閉効果を発揮することが可能である。
【００１０】
本発明の第３の特徴構成は、前記目張りテープは、両面テープであるところにある。
【００１１】
本発明の第３の特徴構成によれば、本発明の第１又は２の特徴構成による上述の作用効果を叶えることができるのに加えて、屋根下地上に目張りテープを貼着した状態で、その上に前記下地板を載置するだけで、目張りテープを介して屋根下地に下地板を仮固定することができる。従って、突き合わせ部の密閉作業と下地板の仮固定作業とを一度に実施できることから、屋根形成作業の効率向上を図ることが可能となる。
【００１２】
本発明の第４の特徴構成は、屋根下地上に複数の下地板が並べて設置され、それら下地板上を覆う状態に防水シートが配置され、分散配置された防水シート固定部で前記防水シートが固定してある防水構造において、前記複数の下地板どうしの突き合わせ部における下地板厚み方向への風抜けを防止自在で、且つ、伸縮自在な充填材が、前記突き合わせ部で両下地板にわたって一体となる状態に充填してあるところにある。
【００１３】
本発明の第４の特徴構成によれば、前記充填材によって各下地板どうしの突き合わせ部の密閉を図ることができ、下地板厚み方向への風抜けを防止することができる。
しかも、充填材が伸縮性を備えているから、仮に下地板の熱膨張・収縮の繰り返しによって突き合わせ部に目開きが生じようとしても、その動きに追従でき、突き合わせ部の密閉状態を維持することが可能となる。
従って、下地板の突き合わせ部の密閉をより確実に図ることができるようになり、例えば、防水シートが、風の負圧で吸い上げられるような力を受けても、防水シートと下地板との間の空間が減圧されることで防水シートの上昇を抑制し易くなる。その結果、必要以上に短い間隔で防水シート固定部を設けなくても防水シートの波立ち防止を図ることができ、施工手間やコストを掛けずに強風に強い防水構造とすることが可能となる。
また、前記突き合わせ部の形状が不揃いであっても、その不揃いな充填空間に対して馴染む状態に前記充填材を充填することができ、より確実な密閉効果を発揮することができる。
【００１４】
本発明の第５の特徴構成は、前記充填材は、前記突き合わせ部に形成された両下地板間のアリ溝内に充填してあるところにある。
【００１５】
本発明の第５の特徴構成によれば、本発明の第４の特徴構成による上述の作用効果を叶えることができるのに加えて、アリ溝内に充填材が充填されることで、アリ溝から充填材が抜け出し難くでき、長期間にわたって前記突き合わせ部での密閉性の維持を図ることが可能となる。
【発明を実施するための最良の形態】
【００１６】
以下に本発明の実施の形態を図面に基づいて説明する。
【００１７】
〔第１実施形態〕
図１、図２は、本発明の防水構造を採用した屋根の一例を示すもので、金属製折板（屋根下地に相当）１の上方に、複数の断熱板（下地板に相当）２を並設すると共に、その上を覆う状態に防水シート３を敷設して構成してある。
【００１８】
前記金属製折板（以後、単に折板という）１は、金属板（例えば、亜鉛メッキ鋼板）を図に示すように谷と山とが交互に位置するジグザグ（波板）形状に成形してある長尺体で、複数の折板１を、側部の一部どうしが重なる状態に並設して屋根の基本構造を形成してある。当該実施形態においては、所謂「折板」を使用しているが、この折板に限るものではなく、例えば、単なる平らな金属板や、所謂「デッキプレート」や、野地板、屋根構造部材等、屋根としての下地となるものであればよい。
また、折板１は、屋根面に沿って間隔を開けて配置された複数の梁（又は、母屋）４上にわたってボルト固定されている。
【００１９】
前記断熱板２は、本実施形態においては耐火性を備えさせてあり、断熱本体部２ｂと、その外側の金属外皮部２ａとを一体に形成して構成してある（図２、図３参照）。
断熱板２は、細長い板形状に形成してあり、前記折板１の長手方向と直交する方向にその長手方向を向けて配置される（図１参照）。また、各断熱板２の両側縁部は、隣接させる別の断熱板２と嵌合連結できるように、嵌合部６をそれぞれ設けてある。この嵌合部６は、当該実施形態においては、図２、図３に示すように、実継ぎ構造をもって構成してある。
具体的には、断熱板２の一方の側縁部には、嵌合凸部６ａを長手方向の全長にわたって形成してあり、他方の側縁部には、隣接させる別の断熱板２の嵌合凸部６ａと嵌合できる形状に形成された嵌合凹部６ｂを、長手方向の全長にわたって形成してある。
従って、前記屋根面に沿って設置された各折板１上に、各断熱板２を配置する際に、順次、隣り合う断熱板２の前記嵌合凸部６ａと嵌合凹部６ｂどうしを嵌合させることによって、夫々の断熱板２を簡単に整列状態に連結することが可能となる。
【００２０】
また、前記断熱本体部２ｂは、例えば、イソシアネートのフォーム材で形成してあり、適度な強度と耐熱性を備えている他、無数の気泡が内在していることによって、高い断熱性能を発揮できるように構成してある。
そして、前記金属外皮部２ａは、前記断熱本体部２ｂの外周面を包み込む状態に一体的に設けられている。この金属外皮部２ａは、具体例として、亜鉛メッキ鋼板の薄板材で構成してある。
【００２１】
前記防水シート３は、合成樹脂製シート（例えば、軟質塩化ビニル）によって構成してあり、敷設された前記断熱板２上に、例えば、固定金具７等を使用して固定される。
この固定金具７は、円板部７ａと、円板部７ａを前記折板１に固定するネジ７ｂとで構成してあり、円板部７ａの上面に前記防水シート３が接着される。前記断熱板２上には、所定のピッチで前記固定金具７が分散状態に配置されており、前記固定金具７の取付位置が、防水シート固定部Ｐとなる。
【００２２】
また、前記複数の断熱板２どうしの突き合わせ部Ｔには、伸縮自在な目張りテープＭが両断熱板２にわたる状態に貼着してある。この目張りテープＭは、合成樹脂製で構成してあり、前記突き合わせ部Ｔにおける断熱板２厚み方向への風抜けを防止することができ、本実施形態においては、断熱板２の表裏両面に各別に設けられている。
従って、例えば、温度変化等の影響で断熱板２が伸縮して、前記突き合わせ部が目開きしたとしても、前記目張りテープＭによって隙間を遮蔽した状態を維持できる。
【００２３】
その結果、例えば、防水シート３の上方に吹く風によって発生する負圧が原因で、防水シート３に吸い上げられるような力が作用しても、防水シート３の裏面空間の気密性を維持でき、吸い上げに抵抗することができる。即ち、風による防水シート３の波立ち減少を抑制することが可能となり、前記防水シート３における防水シート固定部Ｐ周縁に極端な歪みが集中して防水シートが破れたり疲労すると言ったことを未然に防止でき、防水層を健全な状態に維持し易くできる。
【００２４】
〔第２実施形態〕
図４は、本発明の防水構造を採用した第二の実施形態の屋根を示すもので、先の実施形態と同様の構成に関しては、その説明を省き、異なる構成を主に説明する。
【００２５】
前記断熱板２は、隣接する断熱板２との突き合わせ部Ｔとなる端面の上縁部に、図に示すように、全長にわたって切欠き８ａが形成してある。この切欠き８ａは、その切欠き縦面が下方側ほど突き合わせ面より遠ざかる状態に傾斜させて構成してある。
従って、断熱板２どうしを突き合わせることで、その突き合わせ部Ｔでそれぞれの切欠き８ａが合わさってアリ溝８が構成される。
【００２６】
そして、このアリ溝８には、伸縮自在な軟質合成樹脂製の充填材Ｊが充填してあり、アリ溝８内周壁と充填材Ｊとの固着強度に加えて、両者の物理的な嵌合構造によって、より強力に、突き合わせ部Ｔでの密閉効果を発揮することができる。
尚、図には示さないが、アリ溝８の上から、両断熱板２と充填材Ｊとを覆う状態に、先の実施形態で説明した目張りテープＭを接着すれば、更に、突き合わせ部の目開き防止効果が向上し、風の影響を受け難い防水構造を提供することができる。
【００２７】
〔別実施形態〕
以下に他の実施の形態を説明する。
【００２８】
〈１〉  前記屋根下地は、先の実施形態で説明した金属製折板１に限るものではなく、例えば、デッキプレートや、野地板や、ＡＬＣ板等であってもよい。また、下地板２そのものに強度が期待できる場合には、下地板２を支持する梁や桁をもって屋根下地とするものであってもよい。但し、下方空間と下地板２裏面部空間とが連通しない状態に形成された屋根（例えば、コンクリートスラブ等）は、対象外である。
要するに、屋根下地は、下地板２を支持でき、下地板２の裏面部空間に対して何らかの形で空気が流れ込む可能性のあるものが対象となり、それらを総称して屋根下地という。
また、屋根下地そのものの材質は特に限定されるものではない。
〈２〉  前記防水シート３は、先の実施形態で説明した合成樹脂製防水シートに限るものではなく、例えば、合成ゴム製シートやアスファルトシート等の防水シート、又は、それらの積層体等であってもよく、それらを含めて防水シートと総称する。
また、防水シートに、ガラス繊維やポリエステル繊維等の繊維性基材を、層状又は全体に混入させてあってもよく、補強効果と共に寸法安定効果等を発揮させることも可能である。
〈３〉  前記下地板２は、先の実施形態で説明したように隣接するものどうしを前記嵌合部６によって連結できるように構成してあるものに限るものではなく、例えば、側縁部どうしを単純に突き合わせるだけの構成であってもよい。更には、断熱本体部２ｂの外周面を金属外皮部２ａで包み込む状態に形成した断熱板に限るものではなく、例えば、断熱本体部のみによる構成であったり、更には、断熱性能そのものが低い材料で構成してあってもよい。要するに、防水シートの下地となり得るものであればよく、それらを含めて下地板２と総称する。従って、下地板が、野地板やＡＬＣ板等で構成される場合もある。
〈４〉  前記目張りテープは、先の実施形態で説明したように、下地板の表裏両面に各別に貼着する事に限らず、表面、又は、裏面の何れか一方にのみ貼着するものであってもよい。但し、防水シートが吸い上げられるに伴って下地板どうしの突き合わせ部を通した下方空間からの空気の上昇に対しては、下地板どうしの裏面側にわたって目張りテープを貼着する方が剥がれにくくて好ましい。
また、前記目張りテープは、両面テープで構成してあってもよく、その場合、例えば、下地板の裏面側に使用する場合は、屋根下地に予め目張りテープを貼着した後、その上に下地板を設置すれば、仮固定を図ることができる。一方、下地板の表面側に使用する場合は、前記固定金具と合わせて、防水シートの固定を図ることが可能となる。
〈５〉  充填材Ｊは、その充填対象部の形状が、先の実施形態で説明したようにアリ溝である事に限らず、例えば、矩形断面の溝であったり、開口端部側ほど幅広の溝であってもよい。また、下地板の上縁部にのみ充填される構成に限らず、下縁部にのみ充填される構成や、上下両縁部に充填される構成であってもよい。更には、前記目張りテープと組み合わすことであってもよい。
【００２９】
尚、上述のように、図面との対照を便利にするために符号を記したが、該記入により本発明は添付図面の構成に限定されるものではない。
【図面の簡単な説明】
【００３０】
【図１】第一実施形態の防水構造を示す一部切欠き斜視図
【図２】第一実施形態の防水構造を示す側方視での要部断面図
【図３】第一実施形態での下地板を示す断面図
【図４】第二実施形態の防水構造を示す側方視での要部断面図
【図５】従来の防水構造を示す側方視での要部断面図
【符号の説明】
【００３１】
１      金属製折板（屋根下地に相当）
２      断熱板（下地板に相当）
３      防水シート
８      アリ溝
Ｊ      充填材
Ｍ      目張りテープ
Ｐ      防水シート固定部
Ｔ      突き合わせ部
【図１】
2006077506.tif 000003
【図２】
2006077506.tif 000004
【図３】
2006077506.tif 000005
【図４】
2006077506.tif 000006
【図５】
2006077506.tif 000007